(57)【要約】  本発明は、顧客との待ち合わせ場所に向かうサービス提供者から繰り返し取得された生体情報に基づくサービス提供者の生体認証の結果を取得する認証結果取得部（１１）と、サービス提供者の生体認証の結果を顧客の端末に送信する結果送信部（１２）と、を有するサーバ（１０）を提供する。
2020066691.tif 000002
【特許請求の範囲】
【請求項１】
顧客との待ち合わせ場所に向かうサービス提供者から繰り返し取得された生体情報に基づくサービス提供者の生体認証の結果を取得する認証結果取得手段と、
前記サービス提供者の生体認証の結果を前記顧客の端末に送信する結果送信手段と、
を有するサーバ。
【請求項２】
請求項１に記載のサーバにおいて、
前記結果送信手段は、
前記サービス提供者の生体認証の結果が認証失敗である場合、前記顧客の端末に前記サービス提供者の生体認証の結果を送信し、
前記サービス提供者の生体認証の結果が認証成功である場合、前記顧客の端末に前記サービス提供者の生体認証の結果を送信しないサーバ。
【請求項３】
請求項１又は２に記載のサーバにおいて、
前記結果送信手段は、
前記サービス提供者が前記待ち合わせ場所から第１の基準距離以内に位置する場合、前記サービス提供者の生体認証の結果が認証成功及び認証失敗いずれの場合も前記顧客の端末に前記サービス提供者の生体認証の結果を送信し、
前記サービス提供者が前記待ち合わせ場所から前記第１の基準距離以内に位置しない場合、前記サービス提供者の生体認証の結果が認証失敗である場合に前記顧客の端末に前記サービス提供者の生体認証の結果を送信し、前記サービス提供者の生体認証の結果が認証成功である場合に前記顧客の端末に前記サービス提供者の生体認証の結果を送信しないサーバ。
【請求項４】
請求項１から３のいずれか１項に記載のサーバにおいて、
前記認証結果取得手段は、サービス提供者が前記待ち合わせ場所から第２の基準距離以内に位置する場合、前記サービス提供者が前記待ち合わせ場所から第２の基準距離以内に位置しない場合よりも、前記サービス提供者の生体認証の実施頻度が高くなるように制御するサーバ。
【請求項５】
請求項１から４のいずれか１項に記載のサーバにおいて、
前記認証結果取得手段は、前記顧客から繰り返し取得された生体情報に基づく顧客の生体認証の結果を取得し、
前記結果送信手段は、前記顧客の生体認証の結果を前記サービス提供者の端末に送信するサーバ。
【請求項６】
請求項５に記載のサーバにおいて、
前記認証結果取得手段は、
予め登録された前記待ち合わせ場所が前記顧客の自宅である場合、前記サービス提供者の生体認証を実施させ、前記顧客の生体認証を実施させず、
予め登録された前記待ち合わせ場所が前記顧客の自宅でない場合、前記サービス提供者の生体認証、及び、前記顧客の生体認証を実施させるサーバ。
【請求項７】
コンピュータが、
顧客との待ち合わせ場所に向かうサービス提供者から繰り返し取得された生体情報に基づくサービス提供者の生体認証の結果を取得する認証結果取得工程と、
前記サービス提供者の生体認証の結果を前記顧客の端末に送信する結果送信工程と、
を実行する処理方法。
【請求項８】
コンピュータを、
顧客との待ち合わせ場所に向かうサービス提供者から繰り返し取得された生体情報に基づくサービス提供者の生体認証の結果を取得する認証結果取得手段、
前記サービス提供者の生体認証の結果を前記顧客の端末に送信する結果送信手段、
として機能させるプログラム。
【請求項９】
コンピュータを、
待ち合わせ場所に向かうサービス提供者又は前記顧客から繰り返し取得された生体情報及び前記生体情報に基づく生体認証の結果の少なくとも一方を含む認証情報を取得する認証情報取得手段、
前記認証情報をサーバに送信する認証情報送信手段、
として機能させるプログラム。
【請求項１０】
請求項９に記載のプログラムにおいて、
前記認証情報取得手段は、前記生体認証の結果を含む前記認証情報を取得し、
前記認証情報送信手段は、
前記生体認証の結果が認証失敗である場合、前記サーバに前記生体認証の結果を送信し、
前記生体認証の結果が認証成功である場合、前記サーバに前記生体認証の結果を送信しないプログラム。
【請求項１１】
請求項９又は１０に記載のプログラムにおいて、
前記認証情報送信手段は、
前記サービス提供者又は前記顧客が前記待ち合わせ場所から第１の基準距離以内に位置する場合、前記生体認証の結果が認証成功及び認証失敗いずれの場合も前記サーバに前記生体認証の結果を送信し、
前記サービス提供者又は前記顧客が前記待ち合わせ場所から前記第１の基準距離以内に位置しない場合、前記生体認証の結果が認証失敗である場合に前記サーバに前記生体認証の結果を送信し、前記生体認証の結果が認証成功である場合に前記サーバに前記生体認証の結果を送信しないプログラム。
【請求項１２】
請求項９から１１のいずれか１項に記載のプログラムにおいて、
前記認証情報取得手段は、前記サービス提供者又は前記顧客が前記待ち合わせ場所から第２の基準距離以内に位置する場合、前記サービス提供者又は前記顧客が前記待ち合わせ場所から第２の基準距離以内に位置しない場合よりも、前記生体認証の実施頻度が高くなるように制御するプログラム。
【請求項１３】
待ち合わせ場所に向かうサービス提供者又は前記顧客から繰り返し取得された生体情報及び前記生体情報に基づく生体認証の結果の少なくとも一方を含む認証情報を取得する認証情報取得手段と、
前記認証情報をサーバに送信する認証情報送信手段と、
を有する処理装置。
【請求項１４】
コンピュータが、
待ち合わせ場所に向かうサービス提供者又は前記顧客から繰り返し取得された生体情報及び前記生体情報に基づく生体認証の結果の少なくとも一方を含む認証情報を取得する認証情報取得工程と、
前記認証情報をサーバに送信する認証情報送信工程と、
を実行する処理方法。
【発明の詳細な説明】
【技術分野】
【０００１】
本発明は、サーバ、処理装置、処理方法及びプログラムに関する。
【背景技術】
【０００２】
特許文献１乃至３は、聴覚器官の音響特性を用いて個人認証を行う技術を開示している。
【先行技術文献】
【特許文献】
【０００３】
【特許文献１】国際公開第２０１７／０６９１１８
【特許文献２】特開２００２−１６５７７８号公報
【特許文献３】特開２００２−１４３１３０号公報
【発明の概要】
【発明が解決しようとする課題】
【０００４】
顧客からの依頼を受けたサービス提供者が、予め定められた待ち合わせ場所で顧客と会い、所定の業務を行うサービスがある。当該サービスとしては、例えば、タクシーサービス、宅配サービス、カーシェアリングサービス等が例示される。そして、近年、一般人がサービス提供者となり、他の一般人からの依頼に基づき上述のようなサービスを提供することが広まっている。【０００５】
当該サービスにおいては、悪意を有する者が、顧客からの依頼を受けたサービス提供者になりすまして顧客と会い、顧客をだます等のトラブルを回避する手段が必要になる。本発明は、当該トラブルの発生を軽減する技術を提供することを課題とする。
【課題を解決するための手段】
【０００６】
本発明によれば、
顧客との待ち合わせ場所に向かうサービス提供者から繰り返し取得された生体情報に基づくサービス提供者の生体認証の結果を取得する認証結果取得手段と、
前記サービス提供者の生体認証の結果を前記顧客の端末に送信する結果送信手段と、
を有するサーバが提供される。【０００７】
また、本発明によれば、
コンピュータが、
顧客との待ち合わせ場所に向かうサービス提供者から繰り返し取得された生体情報に基づくサービス提供者の生体認証の結果を取得する認証結果取得工程と、
前記サービス提供者の生体認証の結果を前記顧客の端末に送信する結果送信工程と、
を実行する処理方法が提供される。【０００８】
また、本発明によれば、
コンピュータを、
顧客との待ち合わせ場所に向かうサービス提供者から繰り返し取得された生体情報に基づくサービス提供者の生体認証の結果を取得する認証結果取得手段、
前記サービス提供者の生体認証の結果を前記顧客の端末に送信する結果送信手段、
として機能させるプログラムが提供される。【０００９】
また、本発明によれば、
コンピュータを、
待ち合わせ場所に向かうサービス提供者又は前記顧客から繰り返し取得された生体情報及び前記生体情報に基づく生体認証の結果の少なくとも一方を含む認証情報を取得する認証情報取得手段、
前記認証情報をサーバに送信する認証情報送信手段、
として機能させるプログラムが提供される。【００１０】
また、本発明によれば、
待ち合わせ場所に向かうサービス提供者又は前記顧客から繰り返し取得された生体情報及び前記生体情報に基づく生体認証の結果の少なくとも一方を含む認証情報を取得する認証情報取得手段と、
前記認証情報をサーバに送信する認証情報送信手段と、
を有する処理装置が提供される。【００１１】
また、本発明によれば、
コンピュータが、
待ち合わせ場所に向かうサービス提供者又は前記顧客から繰り返し取得された生体情報及び前記生体情報に基づく生体認証の結果の少なくとも一方を含む認証情報を取得する認証情報取得工程と、
前記認証情報をサーバに送信する認証情報送信工程と、
を実行する処理方法が提供される。
【発明の効果】
【００１２】
本発明によれば、サービス提供者になりすました者が顧客と会うトラブルの発生を軽減することができる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本実施形態のシステムの機能ブロック図の一例である。
【図２】本実施形態のシステムの機能ブロック図の一例である。
【図３】本実施形態の処理装置の機能ブロック図の一例である。
【図４】本実施形態の処理装置の処理の流れの一例を示すフローチャートである。
【図５】本実施形態の処理装置の処理の流れの一例を示すフローチャートである。
【図６】本実施形態のサーバの機能ブロック図の一例である。
【図７】本実施形態のサーバが処理する情報の一例を模式的に示す図である。
【図８】本実施形態のサーバの処理の流れの一例を示すフローチャートである。
【図９】本実施形態のサーバの処理の流れの一例を示すフローチャートである。
【図１０】本実施形態の装置のハードウエア構成の一例を示す図である。
【図１１】本実施形態のサーバの処理の流れの一例を示すフローチャートである。
【図１２】本実施形態のサーバの処理の流れの一例を示すフローチャートである。
【図１３】本実施形態の処理装置の処理の流れの一例を示すフローチャートである。
【図１４】本実施形態の処理装置の処理の流れの一例を示すフローチャートである。
【図１５】本実施形態のシステムの機能ブロック図の一例である。
【図１６】本実施形態のシステムの機能ブロック図の一例である。
【発明を実施するための形態】
【００１５】
＜第１の実施形態＞
「システムの全体像及び概要」
まず、図１の機能ブロック図を用いて、本実施形態のシステムの全体像及び概要を説明する。本実施形態のシステムは、顧客からの依頼を受けたサービス提供者が、予め定められた待ち合わせ場所で顧客と会い、所定の業務を行うサービスにおいて利用される。
【００１６】
当該サービスとしては、例えば、サービス提供者が運転する車などの移動体に顧客を乗せて待ち合わせ場所から所定の場所まで移動するタクシーサービス、サービス提供者が待ち合わせ場所で顧客から荷物を受け取って所定の場所まで運んだり、待ち合わせ場所で顧客に荷物を渡したりする宅配サービス、サービス提供者が待ち合わせ場所まで車などの移動体を持っていき、そこで移動体を顧客に渡すカーシェアリング等が例示されるが、これらに限定されない。
【００１７】
本実施形態のシステムは、図１に示すように、サーバ１０と、サービス提供者側の端末装置３０と、顧客側の端末装置３０とを有する。サービス提供者側の端末装置３０には、生体情報取得装置４０が有線及び／又は無線で接続される。端末装置３０は、生体情報取得装置４０を含んでいてもよいし、生体情報取得装置４０そのものであってもよい。サーバ１０と端末装置３０とは、インターネット等の通信ネットワークを介して、互いに通信可能になっている。
【００１８】
端末装置３０は、スマートフォン、タブレット端末、携帯電話、パーソナルコンピュータ、スマートウォッチ等のポータブル端末またはウェアラブル端末が例示されるが、これらに限定されない。端末装置３０は、例えば、輸送用装置（一例として、車両、自動車、二輪自動車、自転車、列車、バス、リヤカー、人力車、船舶（ship and other watercraft）、飛行機、ロケット、人工衛星、ドローン、気球など）のアイテムであっても良い。サービス提供者側の端末装置３０には、処理装置２０の機能を実現するためのプログラム（アプリ）がインストールされる。
【００１９】
本実施形態のシステムの処理の流れの全体像は、次の通りである。生体情報取得装置４０は、顧客との待ち合わせ場所に向かうサービス提供者から繰り返し生体情報を取得する。そして、サーバ１０、処理装置２０及び生体情報取得装置４０の中の何れかが、予め登録された真のサービス提供者の生体情報と、生体情報取得装置４０により取得された生体情報とに基づき繰り返し生体認証を行う。そして、サーバ１０は、サービス提供者の生体認証の結果を顧客側の端末装置３０に送信する。
【００２０】
本実施形態のシステムによれば、顧客は、サーバ１０から通知される情報に基づき、真のサービス提供者が待ち合わせ場所に向かっていることや、真のサービス提供者になりすました者が待ち合わせ場所に向かっていること等を把握できる。
【００２１】
図２に、本実施形態のシステムの機能ブロック図の変形例を示す。当該変形例は、サービス提供者側の端末装置３０が生体情報取得装置４０を備えており、サービス提供者側の端末装置３０に生体情報取得装置４０が外部接続されていない。
【００２２】
「サービス提供者側の端末装置３０の機能構成及び処理の流れの一例」
次に、サービス提供者側の端末装置３０の機能構成及び処理の流れの一例を説明する。サービス提供者側の端末装置３０には、処理装置２０の機能を実現するためのプログラム（アプリ）がインストールされる。サービス提供者は、当該アプリを自身の端末装置３０にインストールした後、当該アプリを起動して、自身のユーザＩＤを発行したり、端末情報をサーバ１０に登録したりするための登録処理を行う。
【００２３】
図３に、処理装置２０の機能ブロック図の一例を示す。図示するように、処理装置２０は、認証情報取得部２１と、認証情報送信部２２とを有する。
【００２４】
認証情報取得部２１は、待ち合わせ場所に向かうサービス提供者から繰り返し取得された生体情報及び当該生体情報に基づくサービス提供者の生体認証の結果の少なくとも一方を含む認証情報を取得する。そして、認証情報送信部２２は、認証情報取得部２１が取得した認証情報をサーバ１０に送信する。
【００２５】
例えば、認証情報取得部２１は、待ち合わせ場所に向かうサービス提供者から繰り返し生体情報を取得する生体情報取得装置４０から生体情報を取得し、生体情報取得装置４０から取得した生体情報と予め登録された真のサービス提供者の生体情報とに基づき生体認証を行うことで、サービス提供者の生体認証の結果を取得してもよい。そして、認証情報送信部２２は、サービス提供者の生体認証の結果をサーバ１０に送信してもよい。
【００２６】
その他、認証情報取得部２１は、待ち合わせ場所に向かうサービス提供者から繰り返し生体情報を取得する生体情報取得装置４０から生体情報を取得してもよい。そして、認証情報送信部２２は、生体情報をサーバ１０に送信してもよい。この場合、サーバ１０が、処理装置２０から受信した生体情報と、予め登録された真のサービス提供者の生体情報とに基づき生体認証を行い、サービス提供者の生体認証の結果を取得することとなる。
【００２７】
その他、認証情報取得部２１は、生体情報取得装置４０からサービス提供者の生体認証の結果を取得してもよい。そして、認証情報送信部２２は、サービス提供者の生体認証の結果をサーバ１０に送信してもよい。この場合、生体情報取得装置４０が、待ち合わせ場所に向かうサービス提供者から繰り返し生体情報を取得し、取得した生体情報と予め登録された真のサービス提供者の生体情報とに基づき生体認証を行い、サービス提供者の生体認証の結果を取得することとなる。
【００２８】
生体情報取得装置４０は、例えばイヤホンを有し、生体情報として聴覚器官の音響特性を取得してもよい。その他、生体情報取得装置４０は指紋センサを有し、生体情報として指紋を取得してもよい。その他、生体情報取得装置４０はカメラを有し、生体情報として虹彩や顔画像を取得してもよい。その他、生体情報取得装置４０はマイクを有し、生体情報として声紋を取得してもよい。なお、この中でも、移動中のサービス提供者に負担を掛けず、かつ、意識させずに繰り返し取得することが可能な聴覚器官の音響特性を取得することが好ましい。
【００２９】
生体情報取得装置４０は、認証情報取得部２１の制御に従い、生体情報取得処理を開始／終了する。例えば、認証情報取得部２１は、待ち合わせ場所への移動を開始したことを示すユーザ入力を受付け、当該ユーザ入力に応じて、生体情報取得処理を開始させる情報を生体情報取得装置４０に入力してもよい。そして、認証情報取得部２１は、顧客と会ったこと等を示すユーザ入力を受付け、当該ユーザ入力に応じて、生体情報取得処理を終了させる情報を生体情報取得装置４０に入力してもよい。
【００３０】
その他、認証情報取得部２１は、待ち合わせ場所への移動を開始したことを示すユーザ入力を受付けると、その旨をサーバ１０に通知してもよい。そして、当該通知に応じてサーバ１０から送信された生体認証を開始するリクエストを受信すると、認証情報取得部２１は当該リクエストに応じて、生体情報取得処理を開始させる情報を生体情報取得装置４０に入力してもよい。また、認証情報取得部２１は、顧客と会ったこと等を示すユーザ入力を受付けると、その旨をサーバ１０に通知してもよい。そして、当該通知に応じてサーバ１０から送信された生体認証を終了するリクエストを受信すると、認証情報取得部２１は当該リクエストに応じて、生体情報取得処理を終了させる情報を生体情報取得装置４０に入力してもよい。
【００３１】
上述のように生体情報取得装置４０による生体情報取得処理の開始／終了を制御することで、「待ち合わせ場所に向かうサービス提供者」からの生体情報の取得が実現される。
【００３２】
また、生体情報取得装置４０は、生体情報取得処理を実行している間、生体情報タイミングの到来を監視し、当該タイミングの到来を検出する毎に生体情報を取得することで、生体情報を繰り返し取得する処理を実現することができる。生体情報タイミングは、所定時間毎（例：１分毎）でもよいし、サーバ１０から依頼を受信したタイミングでもよいし、その他であってもよい。
【００３３】
ここで、図４のフローチャートを用いて、処理装置２０の処理の流れの一例を説明する。ここでは、処理装置２０が生体認証を行う例を説明する。
【００３４】
まず、顧客との待ち合わせ場所への移動を開始するサービス提供者は、端末装置３０を操作して所定のアプリ（処理装置２０）を起動し、移動を開始する入力を行う。なお、サービス提供者は、複数の顧客各々と待ち合わせる複数の業務（タスク）の中の１つを指定して、移動を開始する入力を行ってもよい。
【００３５】
すると、処理装置２０は、サービス提供者のユーザＩＤ（起動中のアプリに登録されているユーザＩＤ）やタスクＩＤ等と紐付けた移動開始通知をサーバ１０に送信する。サーバ１０は、当該通知に応じて、生体認証を開始するリクエストを処理装置２０に送信する。すると、処理装置２０は、当該生体認証を開始するリクエストの受信に応じて、生体情報取得処理を開始させる情報を生体情報取得装置４０に入力する。
【００３６】
そして、生体情報取得装置４０は、生体情報取得処理を開始させる情報の入力に応じて、生体情報取得処理を開始する。具体的には、生体情報取得装置４０は、生体情報取得処理を実行中の間、生体情報取得タイミングを監視し、生体情報取得タイミングの到来を検出する毎に生体情報を取得する処理を実行する。そして、生体情報取得装置４０は、取得した生体情報を処理装置２０に入力する。
【００３７】
処理装置２０は、生体情報取得装置４０から生体情報を取得すると（Ｓ１０のＹｅｓ）、生体情報取得装置４０から取得した生体情報と予め自装置内に登録された真のサービス提供者の生体情報とに基づき生体認証を行う（Ｓ１２）。そして、処理装置２０は、サービス提供者の生体認証の結果を、サービス提供者のユーザＩＤに紐付けてサーバ１０に送信する（Ｓ１４）。以降、処理を終了する入力（顧客と会ったことを示すユーザ入力、アプリを終了する入力等）がなければ（Ｓ１６のＮｏ）、同様の処理を繰り返す。
【００３８】
次に、図５のフローチャートを用いて、処理装置２０の処理の流れの他の一例を説明する。ここでは、サーバ１０が生体認証を行う例を説明する。
【００３９】
まず、顧客との待ち合わせ場所への移動を開始するサービス提供者は、端末装置３０を操作して所定のアプリ（処理装置２０）を起動し、移動を開始する入力を行う。なお、サービス提供者は、複数の顧客各々と待ち合わせる複数の業務（タスク）の中の１つを指定して、移動を開始する入力を行ってもよい。
【００４０】
すると、処理装置２０は、サービス提供者のユーザＩＤ（起動中のアプリに登録されているユーザＩＤ）やタスクＩＤ等と紐付けた移動開始通知をサーバ１０に送信する。サーバ１０は、当該通知に応じて、生体認証を開始するリクエストを処理装置２０に送信する。すると、処理装置２０は、当該生体認証を開始するリクエストの受信に応じて、生体情報取得処理を開始させる情報を生体情報取得装置４０に入力する。
【００４１】
そして、生体情報取得装置４０は、生体情報取得処理を開始させる情報の入力に応じて、生体情報取得処理を開始する。具体的には、生体情報取得装置４０は、生体情報取得処理を実行中の間、生体情報取得タイミングを監視し、生体情報取得タイミングの到来を検出する毎に生体情報を取得する処理を実行する。そして、生体情報取得装置４０は、取得した生体情報を処理装置２０に入力する。
【００４２】
処理装置２０は、生体情報取得装置４０から生体情報を取得すると（Ｓ２０のＹｅｓ）、取得した生体情報を、サービス提供者のユーザＩＤに紐付けてサーバ１０に送信する（Ｓ２２）。以降、処理を終了する入力（顧客と会ったことを示すユーザ入力、アプリを終了する入力等）がなければ（Ｓ２４のＮｏ）、同様の処理を繰り返す。
【００４３】
次に、図５のフローチャートを用いて、処理装置２０の処理の流れの他の一例を説明する。ここでは、生体情報取得装置４０が生体認証を行う例を説明する。
【００４４】
まず、顧客との待ち合わせ場所への移動を開始するサービス提供者は、端末装置３０を操作して所定のアプリ（処理装置２０）を起動し、移動を開始する入力を行う。なお、サービス提供者は、複数の顧客各々と待ち合わせる複数の業務（タスク）の中の１つを指定して、移動を開始する入力を行ってもよい。
【００４５】
すると、処理装置２０は、サービス提供者のユーザＩＤ（起動中のアプリに登録されているユーザＩＤ）やタスクＩＤ等と紐付けた移動開始通知をサーバ１０に送信する。サーバ１０は、当該通知に応じて、生体認証を開始するリクエストを処理装置２０に送信する。すると、処理装置２０は、当該生体認証を開始するリクエストの受信に応じて、生体情報取得処理を開始させる情報を生体情報取得装置４０に入力する。
【００４６】
そして、生体情報取得装置４０は、生体情報取得処理を開始させる情報の入力に応じて、生体情報取得処理を開始する。具体的には、生体情報取得装置４０は、生体情報取得処理を実行中の間、生体情報取得タイミングを監視し、生体情報取得タイミングの到来を検出する毎に生体情報を取得する処理を実行する。そして、生体情報取得装置４０は、取得した生体情報と、予め自装置内に登録された真のサービス提供者の生体情報とに基づき生体認証を行う。そして、生体情報取得装置４０はサービス提供者の生体認証の結果を処理装置２０に入力する。
【００４７】
処理装置２０は、生体情報取得装置４０からサービス提供者の生体認証の結果を取得すると（Ｓ２０のＹｅｓ）、取得したサービス提供者の生体認証の結果を、サービス提供者のユーザＩＤに紐付けてサーバ１０に送信する（Ｓ２１）。以降、処理を終了する入力（顧客と会ったことを示すユーザ入力、アプリを終了する入力等）がなければ（Ｓ２２のＮｏ）、同様の処理を繰り返す。
【００４８】
「サーバ１０の機能構成及び処理の流れの一例」
次に、サーバ１０の機能構成及び処理の流れの一例を説明する。図６に、サーバ１０の機能ブロック図の一例を示す。図示するように、サーバ１０は、認証結果取得部１１と、結果送信部１２とを有する。
【００４９】
認証結果取得部１１は、顧客との待ち合わせ場所に向かうサービス提供者から繰り返し取得された生体情報に基づくサービス提供者の生体認証の結果を取得する。
【００５０】
例えば、認証結果取得部１１は、処理装置２０から送信されたサービス提供者の生体認証の結果を取得してもよい。その他、認証結果取得部１１は、処理装置２０から送信されたサービス提供者の生体情報と、予め登録された真のサービス提供者の生体情報とに基づき生体認証を行い、サービス提供者の生体認証の結果を取得してもよい。
【００５１】
結果送信部１２は、認証結果取得部１１が取得したサービス提供者の生体認証の結果を顧客側の端末装置３０に送信する。結果送信部１２は、アプリのプッシュ通知、予め登録された顧客のメールアドレスへの電子メールの送信等の任意の手段で、サービス提供者の生体認証の結果を顧客側の端末装置３０に送信することができる。
【００５２】
なお、サーバ１０は、図７に示すように、各タスクの内容を管理することができる。例えば、サーバ１０は、「タスクＩＤ」に、「サービス提供者ＩＤ」、「顧客ＩＤ」、「待ち合わせ場所」、「待ち合わせ時間」、「サービス提供者が待ち合わせ場所への移動を開始したことを示す出発フラグ」、「サービス提供者と顧客が会ったことを示す完了フラグ」等を対応付けて管理してもよい。
【００５３】
結果送信部１２は、「サービス提供者が待ち合わせ場所への移動を開始したことを示す出発フラグ」及び「サービス提供者と顧客が会ったことを示す完了フラグ」を確認することで、サービス提供者が待ち合わせ場所への移動を実行中か否か、また、どの顧客との待ち合わせ場所に移動中か等を特定できる。そして、結果送信部１２は、図７に示すような情報に基づき、認証結果取得部１１が取得したサービス提供者の生体認証の結果を、どの顧客側の端末装置３０に送信するか決定できる。例えば、結果送信部１２は、サービス提供者ＩＤ「Ｄ０２１１１」のサービス提供者が、顧客ＩＤ「Ｃ０００２８」の顧客との待ち合わせ場所に移動中と特定した場合、当該サービス提供者の生体認証の結果を、顧客ＩＤ「Ｃ０００２８」の顧客の端末装置３０に送信する。
【００５４】
ここで、図８のフローチャートを用いて、サーバ１０の処理の流れの一例を説明する。ここでは、処理装置２０又は生体情報取得装置４０が生体認証を行う例を説明する。
【００５５】
サーバ１０は、処理装置２０からサービス提供者の生体認証の結果をサービス提供者のユーザＩＤに紐付けて取得すると（Ｓ３０のＹｅｓ）、サービス提供者のユーザＩＤ及び図７に示す管理情報等に基づき特定した顧客の端末装置３０に、サービス提供者の生体認証の結果を送信する（Ｓ３２）。以降、処理を終了する入力がなければ（Ｓ３４のＮｏ）、同様の処理を繰り返す。
【００５６】
次に、図９のフローチャートを用いて、サーバ１０の処理の流れの一例を説明する。ここでは、サーバ１０が生体認証を行う例を説明する。
【００５７】
サーバ１０は、処理装置２０からサービス提供者の生体情報をサービス提供者のユーザＩＤに紐付けて取得すると（Ｓ４０のＹｅｓ）、当該サービス提供者の生体情報と、当該サービス提供者のユーザＩＤに紐付けて予め登録されている参照用生体情報とに基づき生体認証を行う（Ｓ４２）。そして、サーバ１０は、サービス提供者のユーザＩＤ及び図７に示す管理情報等に基づき特定した顧客の端末装置３０に、サービス提供者の生体認証の結果を送信する（Ｓ４４）。以降、処理を終了する入力がなければ（Ｓ４６のＮｏ）、同様の処理を繰り返す。
【００５８】
「サーバ１０及び端末装置３０のハードウエア構成」
次に、サーバ１０及び端末装置３０のハードウエア構成の一例について説明する。本実施形態のサーバ１０及び端末装置３０が備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００５９】
図１０は、本実施形態のサーバ１０及び端末装置３０のハードウエア構成を例示するブロック図である。図１０に示すように、サーバ１０及び端末装置３０は、プロセッサ１Ａ、メモリ２Ａ、入出力インターフェイス３Ａ、周辺回路４Ａ、バス５Ａを有する。周辺回路４Ａには、様々なモジュールが含まれる。サーバ１０及び端末装置３０は周辺回路４Ａを有さなくてもよい。なお、サーバ１０及び端末装置３０各々は物理的に分かれた複数の装置で構成されてもよい。この場合、複数の装置各々が上記ハードウエア構成を備えることができる。
【００６０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ、ＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置、外部装置、外部サーバ、外部センサ、カメラ等から情報を取得するためのインターフェイスや、出力装置、外部装置、外部サーバ等に情報を出力するためのインターフェイスなどを含む。入力装置は、例えばキーボード、マウス、マイク等である。出力装置は、例えばディスプレイ、スピーカ、プリンター、メーラ等である。プロセッサ１Ａは、各モジュールに指令を出し、それらの演算結果をもとに演算を行うことができる。
【００６１】
「作用効果」
以上説明した本実施形態のシステムによれば、顧客からの依頼を受けたサービス提供者が予め定められた待ち合わせ場所で顧客と会い、所定の業務を行うサービスにおいて、待ち合わせ場所に向かって移動中のサービス提供者に対して生体認証を繰り返し実行し、その結果を顧客に通知することができる。
【００６２】
このような本実施形態のシステムによれば、顧客は、システムから通知される情報に基づき、真のサービス提供者が待ち合わせ場所に向かっていることや、真のサービス提供者になりすました者が待ち合わせ場所に向かっていること等を把握できる。結果、顧客は、真のサービス提供者になりすました者と待ち合わせ場所で会う不都合を未然に回避できる。
【００６３】
＜第２の実施形態＞
「システムの全体像及び概要」
本実施形態のシステムでは、所定条件を満たした場合のみ、サービス提供者の生体認証の結果を顧客に送信する点で、第１の実施形態と異なる。その他のシステムの全体像及び概要は、第１の実施形態と同様である。
【００６４】
「サービス提供者側の端末装置３０の機能構成及び処理の流れの一例」
サービス提供者側の端末装置３０の機能構成及び処理の流れの一例は、第１の実施形態と同様である。また、生体情報取得装置４０の機能構成及び処理の流れの一例は、第１の実施形態と同様である。
【００６５】
「サーバ１０の機能構成及び処理の流れの一例」
サーバ１０の機能ブロック図の一例は、第１の実施形態同様、図６で示される。図示するように、サーバ１０は、認証結果取得部１１と、結果送信部１２とを有する。認証結果取得部１１の構成は、第１の実施形態と同様である。
【００６６】
結果送信部１２は、サービス提供者の生体認証の結果が認証失敗である場合、顧客側の端末装置３０にサービス提供者の生体認証の結果を送信する。一方、サービス提供者の生体認証の結果が認証成功である場合、結果送信部１２は、顧客側の端末装置３０にサービス提供者の生体認証の結果を送信しない。結果送信部１２のその他の構成は、第１の実施形態と同様である。
【００６７】
本実施形態のサーバ１０の処理の流れの一例は、図１１のフローチャートで示される。第１の実施形態で説明した図８のフローチャートと比較すると、図１１のフローチャートでは、Ｓ３０でＹｅｓの場合、Ｓ３２の前に、取得したサービス提供者の生体認証の結果が認証成功か認証失敗かを確認する処理（Ｓ３１）を実行し、認証失敗の場合はＳ３２に進み、認証成功の場合はＳ３３に進む点が異なる。
【００６８】
本実施形態のサーバ１０の処理の流れの他の一例は、図１２のフローチャートで示される。第１の実施形態で説明した図９のフローチャートと比較すると、図１２のフローチャートでは、Ｓ４２の後、かつ、Ｓ４４の前に、Ｓ４２の生体認証の結果が認証成功か認証失敗かを確認する処理（Ｓ４３）を実行し、認証失敗の場合はＳ４４に進み、認証成功の場合はＳ４６に進む点が異なる。
【００６９】
「サーバ１０及び端末装置３０のハードウエア構成」
本実施形態のサーバ１０及び端末装置３０のハードウエア構成の一例は、第１の実施形態と同様である。
【００７０】
「作用効果」
以上説明した本実施形態のシステムによれば、第１の実施形態と同様な作用効果を実現できる。また、本実施形態のシステムは、生体認証に失敗した場合、すなわち真のサービス提供者になりすました誰かが待ち合わせ場所に向かっている可能性がある場合のみ、サーバ１０から顧客側の端末装置３０にその旨を通知する構成とする。このように構成することで、送受信する情報を真に必要な情報のみに絞り込むことができる。結果、通信負担の軽減、サーバ１０の処理負担の軽減、不要に多くの情報が顧客に通知されることによる顧客負担、また、不要に多くの情報が顧客に通知されることで重要な情報が見落とされる不都合の回避等が実現される。
【００７１】
＜第３の実施形態＞
「システムの全体像及び概要」
本実施形態のシステムでは、所定条件を満たした場合のみ、サービス提供者の生体認証の結果を顧客に送信する点で、第１の実施形態と異なる。その他のシステムの全体像及び概要は、第１の実施形態と同様である。なお、本実施形態のシステムは、サービス提供者の生体認証の結果が認証失敗である場合、顧客側の端末装置３０にサービス提供者の生体認証の結果を送信するが、その実現手段が第２の実施形態と異なる。
【００７２】
「サービス提供者側の端末装置３０の機能構成及び処理の流れの一例」
サービス提供者側の端末装置３０において実現される処理装置２０の機能ブロック図の一例は、第１の実施形態同様、図３で示される。図示するように、処理装置２０は、認証情報取得部２１と、認証情報送信部２２とを有する。認証情報取得部２１の構成は、第１及び第２の実施形態と同様である。
【００７３】
認証情報送信部２２は、サービス提供者の生体認証の結果が認証失敗である場合、サーバ１０にサービス提供者の生体認証の結果を送信し、サービス提供者の生体認証の結果が認証成功である場合、サーバ１０にサービス提供者の生体認証の結果を送信しない。認証情報送信部２２のその他の構成は、第１及び第２の実施形態と同様である。
【００７４】
本実施形態の処理装置２０の処理の流れの一例は、図１３で示される。第１の実施形態で説明した図４のフローチャートと比較すると、図１３のフローチャートでは、Ｓ１２の後、かつ、Ｓ１４の前に、Ｓ１２の生体認証の結果が認証成功か認証失敗かを確認する処理（Ｓ１３）を実行し、認証失敗の場合はＳ１４に進み、認証成功の場合はＳ１６に進む点が異なる。
【００７５】
本実施形態の処理装置２０の処理の流れの他の一例は、図１４で示される。第１の実施形態で説明した図５のフローチャートと比較すると、図１４のフローチャートでは、Ｓ２０でＹｅｓの場合、Ｓ２２の前に、生体情報取得装置４０から取得したサービス提供者の生体認証の結果が認証成功か認証失敗かを確認する処理（Ｓ２１）を実行し、認証失敗の場合はＳ２２に進み、認証成功の場合はＳ２４に進む点が異なる。
【００７６】
ここで、変形例を説明する。生体情報取得装置４０がサービス提供者の生体認証を実行し、その結果を処理装置２０に送信する構成の場合、生体情報取得装置４０は、サービス提供者の生体認証の結果が認証失敗である場合、処理装置２０にサービス提供者の生体認証の結果を送信し、サービス提供者の生体認証の結果が認証成功である場合、処理装置２０にサービス提供者の生体認証の結果を送信しないように構成してもよい。
【００７７】
「サーバ１０の機能構成及び処理の流れの一例」
サーバ１０の機能構成及び処理の流れの一例は、第１及び第２の実施形態と同様である。
【００７８】
「作用効果」
以上説明した本実施形態のシステムによれば、第１及び第２の実施形態と同様な作用効果を実現できる。また、本実施形態のシステムによれば、サーバ１０から顧客側に送信される情報のみならず、処理装置２０からサーバ１０に送信される情報や、生体情報取得装置４０から処理装置２０に送信される情報などを絞り込むことができる。結果、本実施形態のシステム全体における通信負担のさらなる軽減、処理装置２０及び生体情報取得装置４０の処理負担の軽減等が実現される。
【００７９】
＜第４の実施形態＞
「システムの全体像及び概要」
本実施形態のシステムでは、サービス提供者が待ち合わせ場所から閾値より離れている場合には、所定条件を満たした場合のみサービス提供者の生体認証の結果を顧客に送信し、サービス提供者が待ち合わせ場所から閾値以内に位置する場合には、得られたサービス提供者の生体認証の結果のすべてを顧客に送信する点で、第１乃至第３の実施形態と異なる。その他のシステムの全体像及び概要は、第１乃至第３の実施形態と同様である。
【００８０】
「サーバ１０及びサービス提供者側の端末装置３０の機能構成及び処理の流れの一例」
サービス提供者側の端末装置３０において実現される処理装置２０は、自装置の現在位置を示す位置情報を繰り返し取得する。そして、処理装置２０は、取得した位置情報をサーバ１０に送信する。
【００８１】
位置情報を取得する手段は、ＧＰＳ（global positioning system）を利用するもの、通信基地局を利用するもの等が例示されるが、これらに限定されない。処理装置２０は、例えば、顧客との待ち合わせ場所への移動を開始するユーザ入力を受付けてから、顧客と会ったこと等を示すユーザ入力を受付けるまでの間、位置情報取得タイミングの到来を監視し、当該タイミングの到来を検出する毎に現在位置を示す位置情報を取得する。位置情報取得タイミングは、所定時間毎（例：１分毎）でもよいし、サーバ１０から依頼を受信したタイミングでもよいし、その他であってもよい。
【００８２】
サーバ１０の結果送信部１２は、サービス提供者が待ち合わせ場所から第１の基準距離以内に位置する場合、サービス提供者の生体認証の結果が認証成功及び認証失敗いずれの場合も顧客側の端末装置３０にサービス提供者の生体認証の結果を送信する。一方、サービス提供者が待ち合わせ場所から第１の基準距離以内に位置しない場合には、結果送信部１２は、サービス提供者の生体認証の結果が認証失敗である場合に顧客側の端末装置３０にサービス提供者の生体認証の結果を送信し、サービス提供者の生体認証の結果が認証成功である場合には顧客側の端末装置３０にサービス提供者の生体認証の結果を送信しない。結果送信部１２は、サービス提供者側の端末装置３０から受信した通知や、サーバ１０が管理している図７に示すような情報に基づき、サービス提供者と顧客との待ち合わせ場所を特定できる。
【００８３】
なお、本実施形態のシステムは、「処理装置２０の位置」を「サービス提供者の位置」として、サービス提供者と待ち合わせ場所との位置関係の判定を行うことができる。
【００８４】
ここで、処理装置２０又は生体情報取得装置４０がサービス提供者の生体認証を行う場合に適用できる変形例を説明する。処理装置２０の認証情報送信部２２は、サービス提供者が待ち合わせ場所から第１の基準距離以内に位置する場合、サービス提供者の生体認証の結果が認証成功及び認証失敗いずれの場合もサーバ１０にサービス提供者の生体認証の結果を送信する。一方、サービス提供者が待ち合わせ場所から第１の基準距離以内に位置しない場合には、認証情報送信部２２は、生体認証の結果が認証失敗である場合にサーバ１０に生体認証の結果を送信し、生体認証の結果が認証成功である場合にサーバ１０に生体認証の結果を送信しない。なお、処理装置２０は、サーバ１０から待ち合わせ場所を示す情報を取得してもよい。
【００８５】
次に、生体情報取得装置４０がサービス提供者の生体認証を行う場合に適用できる他の変形例を説明する。生体情報取得装置４０は、サービス提供者が待ち合わせ場所から第１の基準距離以内に位置する場合、サービス提供者の生体認証の結果が認証成功及び認証失敗いずれの場合も処理装置２０にサービス提供者の生体認証の結果を送信する。一方、サービス提供者が待ち合わせ場所から第１の基準距離以内に位置しない場合には、生体情報取得装置４０は、生体認証の結果が認証失敗である場合に処理装置２０に生体認証の結果を送信し、生体認証の結果が認証成功である場合に処理装置２０に生体認証の結果を送信しない。この変形例の場合、生体情報取得装置４０は、処理装置２０から待ち合わせ場所及び処理装置２０の現在位置を示す情報を取得し、当該情報に基づき、サービス提供者と待ち合わせ場所との位置関係（サービス提供者が待ち合わせ場所から第１の基準距離以内に位置するか否か）を判断してもよい。その他、処理装置２０が、サービス提供者と待ち合わせ場所との位置関係を判断し、判断結果を生体情報取得装置４０に入力してもよい。
【００８６】
サーバ１０及びサービス提供者側の端末装置３０のその他の機能構成及び処理の流れの一例は、第１乃至第３の実施形態と同様である。
【００８７】
「サーバ１０及び端末装置３０のハードウエア構成」
本実施形態のサーバ１０及び端末装置３０のハードウエア構成の一例は、第１乃至第３の実施形態と同様である。
【００８８】
「作用効果」
以上説明した本実施形態のシステムによれば、第１乃至第３の実施形態と同様な作用効果を実現できる。また、本実施形態のシステムによれば、サービス提供者が待ち合わせ場所から離れている場合、すなわちサービス提供者と顧客とが会うまで比較的時間がある場合には、生体認証に失敗した場合のみ、サーバ１０から顧客側の端末装置３０にその旨を通知する構成とする。そして、サービス提供者が待ち合わせ場所に近づいている場合、すなわちサービス提供者と顧客とが会うタイミングが迫っている場合には、サービス提供者の生体認証の結果に関わらず全ての結果を顧客に通知する構成とする。このように、本実施形態のシステムによれば、状況に応じた適切な手段で、サービス提供者の生体認証の結果を顧客に通知することができる。
【００８９】
＜第５の実施形態＞
「システムの全体像及び概要」
本実施形態のシステムでは、サービス提供者が待ち合わせ場所から閾値より離れている場合と、サービス提供者が待ち合わせ場所から閾値より離れていない場合とで、サービス提供者の生体認証を行う頻度を変えることができる点で、第１乃至第４の実施形態と異なる。その他のシステムの全体像及び概要は、第１乃至第４の実施形態と同様である。
【００９０】
「サーバ１０及びサービス提供者側の端末装置３０の機能構成及び処理の流れの一例」
サービス提供者側の端末装置３０において実現される処理装置２０は、自装置の現在位置を示す位置情報を繰り返し取得する。そして、処理装置２０は、取得した位置情報をサーバ１０に送信する。位置情報を取得する手段は、第４の実施形態で説明した通りである。
【００９１】
サーバ１０の認証結果取得部１１は、サービス提供者が待ち合わせ場所から第２の基準距離以内に位置する場合、サービス提供者が待ち合わせ場所から第２の基準距離以内に位置しない場合よりも、サービス提供者の生体認証の実施頻度が高くなるように制御する。例えば、認証結果取得部１１は、指定した実施頻度（５分に１回、１５分に１回等）で生体情報の取得を実施させる指令を、処理装置２０を経由して生体情報取得装置４０に送信することで上記制御を実現してもよい。この場合、生体情報取得装置４０は、サーバ１０に指定された実施頻度で生体情報の取得を行う。認証結果取得部１１は、サービス提供者側の端末装置３０から受信した通知や、サーバ１０が管理している図７に示すような情報に基づき、サービス提供者と顧客との待ち合わせ場所を特定できる。
【００９２】
なお、本実施形態のシステムは、「処理装置２０の位置」を「サービス提供者の位置」として、サービス提供者と待ち合わせ場所との位置関係の判定を行うことができる。
【００９３】
ここで、変形例を説明する。上記制御は、サーバ１０でなく、処理装置２０が行ってもよい。すなわち、当該変形例では、処理装置２０の認証情報取得部２１は、サービス提供者が待ち合わせ場所から第２の基準距離以内に位置する場合、サービス提供が待ち合わせ場所から第２の基準距離以内に位置しない場合よりも、生体認証の実施頻度が高くなるように制御する。例えば、認証情報取得部２１は、指定した実施頻度（５分に１回、１５分に１回等）で生体情報の取得を実施させる指令を生体情報取得装置４０に送信することで上記制御を実現してもよい。この場合、生体情報取得装置４０は、処理装置２０に指定された実施頻度で生体情報の取得を行う。認証情報取得部２１は、サーバ１０から待ち合わせ場所を示す情報を取得してもよい。
【００９４】
他の変形例を説明する。上記制御は、生体情報取得装置４０が行ってもよい。すなわち、当該変形例では、生体情報取得装置４０は、サービス提供者が待ち合わせ場所から第２の基準距離以内に位置する場合、サービス提供が待ち合わせ場所から第２の基準距離以内に位置しない場合よりも、生体認証の実施頻度が高くなるように制御する。例えば、生体情報取得装置４０は、サービス提供者が待ち合わせ場所から第２の基準距離以内に位置する場合、サービス提供が待ち合わせ場所から第２の基準距離以内に位置しない場合よりも、生体情報の取得頻度が高くなるように制御してもよい。この変形例の場合、生体情報取得装置４０は、処理装置２０から待ち合わせ場所及び処理装置２０の現在位置を示す情報を取得し、当該情報に基づき、サービス提供者と待ち合わせ場所との位置関係（サービス提供者が待ち合わせ場所から第２の基準距離以内に位置するか否か）を判断してもよい。その他、処理装置２０が、サービス提供者と待ち合わせ場所との位置関係を判断し、判断結果を生体情報取得装置４０に入力してもよい。
【００９５】
サーバ１０及びサービス提供者側の端末装置３０のその他の機能構成及び処理の流れの一例は、第１乃至第４の実施形態と同様である。
【００９６】
「サーバ１０及び端末装置３０のハードウエア構成」
本実施形態のサーバ１０及び端末装置３０のハードウエア構成の一例は、第１乃至第４の実施形態と同様である。
【００９７】
「作用効果」
以上説明した本実施形態のシステムによれば、第１乃至第４の実施形態と同様な作用効果を実現できる。また、本実施形態のシステムによれば、サービス提供者が待ち合わせ場所から離れている場合、すなわちサービス提供者と顧客とが会うまで比較的時間がある場合には、サービス提供者の生体認証の頻度を比較的低くし、サービス提供者が待ち合わせ場所に近づいている場合、すなわちサービス提供者と顧客とが会うタイミングが迫っている場合には、サービス提供者の生体認証の頻度を比較的高くすることができる。このように、本実施形態のシステムによれば、状況に応じた適切な頻度で生体認証を行うことで、不要な場面で不要に多くの生体認証を行うことにより処理負担が大きくなる不都合や、必要な画面で生体認証の頻度が足りず顧客に有益な情報を提供できなくなる不都合を軽減できる。
【００９８】
＜第６の実施形態＞
「システムの全体像及び構成」
本実施形態のシステムでは、サービス提供者が待ち合わせ場所に移動している間、サービス提供者だけでなく、顧客に対しても繰り返し生体認証を行い、顧客の生体認証の結果をサービス提供者側の端末装置３０に送信する機能を有する点で、第１乃至第５の実施形態と異なる。その他のシステムの全体像及び概要は、第１乃至第５の実施形態と同様である。
【００９９】
図１５及び図１６に、本実施形態のシステムの機能ブロック図の一例を示す。当該機能ブロック図は、第１の実施形態で説明した機能ブロック図と比較して、顧客側の端末装置３０に処理装置２０の機能を実現するためのプログラム（アプリ）がインストールされている点、及び、顧客側の端末装置３０が生体情報取得装置４０を有している又は生体情報取得装置４０に接続されている点が異なる。処理装置２０及び生体情報取得装置４０の構成は、第１乃至第５の実施形態と同様である。
【０１００】
すなわち、顧客側の端末装置３０において実現された処理装置２０は、待ち合わせ場所に向かう顧客から繰り返し取得された生体情報及び生体情報に基づく生体認証の結果の少なくとも一方を含む認証情報を取得し（認証情報取得部２１）、認証情報をサーバ１０に送信する（認証情報送信部２２）。
【０１０１】
また、顧客側の端末装置３０において実現された処理装置２０は、顧客の生体認証の結果を取得すると、顧客の生体認証の結果が認証失敗である場合、サーバ１０に生体認証の結果を送信し、生体認証の結果が認証成功である場合、サーバ１０に生体認証の結果を送信しなくてもよい。
【０１０２】
また、顧客側の端末装置３０において実現された処理装置２０は、顧客が待ち合わせ場所から第１の基準距離以内に位置する場合、生体認証の結果が認証成功及び認証失敗いずれの場合もサーバ１０に顧客の生体認証の結果を送信してもよい。そして、顧客が待ち合わせ場所から第１の基準距離以内に位置しない場合、当該処理装置２０は、顧客の生体認証の結果が認証失敗である場合にサーバ１０に顧客の生体認証の結果を送信し、顧客の生体認証の結果が認証成功である場合にサーバ１０に顧客の生体認証の結果を送信しなくてもよい。
【０１０３】
また、顧客側の端末装置３０において実現された処理装置２０は、顧客が待ち合わせ場所から第２の基準距離以内に位置する場合、顧客が待ち合わせ場所から第２の基準距離以内に位置しない場合よりも、顧客の生体認証の実施頻度が高くなるように制御してもよい。
【０１０４】
また、サーバ１０の認証結果取得部１１は、顧客側の端末装置３０において実現される処理装置２０から「待ち合わせ場所への移動を開始したことを示す通知」を受信すると、それに応じて、顧客側の端末装置３０において実現される処理装置２０に、生体認証を開始するリクエストを送信してもよい。そして、当該リクエストに応じて、顧客側の端末装置３０において実現される処理装置２０は、生体情報取得処理を開始させる情報を生体情報取得装置４０に入力してもよい。
【０１０５】
なお、認証結果取得部１１は、予め登録された待ち合わせ場所が顧客の自宅である場合、顧客側の端末装置３０において実現される処理装置２０から「待ち合わせ場所への移動を開始したことを示す通知」を受信しても、顧客側の端末装置３０において実現される処理装置２０に生体認証を開始するリクエストを送信しなくてもよい。待ち合わせ場所が顧客の自宅である場合、生体認証を行わなくても、そこに現れる人物は真の顧客であると認めることができる。余計な生体認証を行わずに済むので、顧客の負担軽減やシステムの処理負担軽減等が実現される。
【０１０６】
待ち合わせ場所が顧客の自宅か否かの判断は、任意の手段で実現できる。例えば、図７に示すようなタスク情報がサーバ１０に登録される段階で、待ち合わせ場所が顧客の自宅か否かを示す情報が登録されてもよい。
【０１０７】
サーバ１０のその他の構成は第１乃至第５の実施形態と同様である。
【０１０８】
「サーバ１０及び端末装置３０のハードウエア構成」
本実施形態のサーバ１０及び端末装置３０のハードウエア構成の一例は、第１乃至第５の実施形態と同様である。
【０１０９】
「作用効果」
以上説明した本実施形態のシステムによれば、第１乃至第５の実施形態と同様な作用効果を実現できる。また、本実施形態のシステムによれば、サービス提供者が待ち合わせ場所に移動している間、サービス提供者だけでなく、顧客に対しても繰り返し生体認証を行い、互いの生体認証の結果を相手側の端末装置３０に送信することができる。
【０１１０】
このような本実施形態のシステムによれば、顧客及びサービス提供者の両方は、システムから通知される情報に基づき、真のサービス提供者になりすました者や真の顧客になりすました者と待ち合わせ場所で会う不都合を未然に回避できる。
【０１１１】
以下、参考形態の例を付記する。
１．  顧客との待ち合わせ場所に向かうサービス提供者から繰り返し取得された生体情報に基づくサービス提供者の生体認証の結果を取得する認証結果取得手段と、
前記サービス提供者の生体認証の結果を前記顧客の端末に送信する結果送信手段と、
を有するサーバ。
２．  １に記載のサーバにおいて、
前記結果送信手段は、
前記サービス提供者の生体認証の結果が認証失敗である場合、前記顧客の端末に前記サービス提供者の生体認証の結果を送信し、
前記サービス提供者の生体認証の結果が認証成功である場合、前記顧客の端末に前記サービス提供者の生体認証の結果を送信しないサーバ。
３．  １又は２に記載のサーバにおいて、
前記結果送信手段は、
前記サービス提供者が前記待ち合わせ場所から第１の基準距離以内に位置する場合、前記サービス提供者の生体認証の結果が認証成功及び認証失敗いずれの場合も前記顧客の端末に前記サービス提供者の生体認証の結果を送信し、
前記サービス提供者が前記待ち合わせ場所から前記第１の基準距離以内に位置しない場合、前記サービス提供者の生体認証の結果が認証失敗である場合に前記顧客の端末に前記サービス提供者の生体認証の結果を送信し、前記サービス提供者の生体認証の結果が認証成功である場合に前記顧客の端末に前記サービス提供者の生体認証の結果を送信しないサーバ。
４．  １から３のいずれかに記載のサーバにおいて、
前記認証結果取得手段は、サービス提供者が前記待ち合わせ場所から第２の基準距離以内に位置する場合、前記サービス提供者が前記待ち合わせ場所から第２の基準距離以内に位置しない場合よりも、前記サービス提供者の生体認証の実施頻度が高くなるように制御するサーバ。
５．  １から４のいずれかに記載のサーバにおいて、
前記認証結果取得手段は、前記顧客から繰り返し取得された生体情報に基づく顧客の生体認証の結果を取得し、
前記結果送信手段は、前記顧客の生体認証の結果を前記サービス提供者の端末に送信するサーバ。
６．  ５に記載のサーバにおいて、
前記認証結果取得手段は、
予め登録された前記待ち合わせ場所が前記顧客の自宅である場合、前記サービス提供者の生体認証を実施させ、前記顧客の生体認証を実施させず、
予め登録された前記待ち合わせ場所が前記顧客の自宅でない場合、前記サービス提供者の生体認証、及び、前記顧客の生体認証を実施させるサーバ。
７．  コンピュータが、
顧客との待ち合わせ場所に向かうサービス提供者から繰り返し取得された生体情報に基づくサービス提供者の生体認証の結果を取得する認証結果取得工程と、
前記サービス提供者の生体認証の結果を前記顧客の端末に送信する結果送信工程と、
を実行する処理方法。
８．  コンピュータを、
顧客との待ち合わせ場所に向かうサービス提供者から繰り返し取得された生体情報に基づくサービス提供者の生体認証の結果を取得する認証結果取得手段、
前記サービス提供者の生体認証の結果を前記顧客の端末に送信する結果送信手段、
として機能させるプログラム。
９．  コンピュータを、
待ち合わせ場所に向かうサービス提供者又は前記顧客から繰り返し取得された生体情報及び前記生体情報に基づく生体認証の結果の少なくとも一方を含む認証情報を取得する認証情報取得手段、
前記認証情報をサーバに送信する認証情報送信手段、
として機能させるプログラム。
１０．  ９に記載のプログラムにおいて、
前記認証情報取得手段は、前記生体認証の結果を含む前記認証情報を取得し、
前記認証情報送信手段は、
前記生体認証の結果が認証失敗である場合、前記サーバに前記生体認証の結果を送信し、
前記生体認証の結果が認証成功である場合、前記サーバに前記生体認証の結果を送信しないプログラム。
１１．  ９又は１０に記載のプログラムにおいて、
前記認証情報送信手段は、
前記サービス提供者又は前記顧客が前記待ち合わせ場所から第１の基準距離以内に位置する場合、前記生体認証の結果が認証成功及び認証失敗いずれの場合も前記サーバに前記生体認証の結果を送信し、
前記サービス提供者又は前記顧客が前記待ち合わせ場所から前記第１の基準距離以内に位置しない場合、前記生体認証の結果が認証失敗である場合に前記サーバに前記生体認証の結果を送信し、前記生体認証の結果が認証成功である場合に前記サーバに前記生体認証の結果を送信しないプログラム。
１２．  ９から１１のいずれかに記載のプログラムにおいて、
前記認証情報取得手段は、前記サービス提供者又は前記顧客が前記待ち合わせ場所から第２の基準距離以内に位置する場合、前記サービス提供者又は前記顧客が前記待ち合わせ場所から第２の基準距離以内に位置しない場合よりも、前記生体認証の実施頻度が高くなるように制御するプログラム。
１３．  待ち合わせ場所に向かうサービス提供者又は前記顧客から繰り返し取得された生体情報及び前記生体情報に基づく生体認証の結果の少なくとも一方を含む認証情報を取得する認証情報取得手段と、
前記認証情報をサーバに送信する認証情報送信手段と、
を有する処理装置。
１４．  コンピュータが、
待ち合わせ場所に向かうサービス提供者又は前記顧客から繰り返し取得された生体情報及び前記生体情報に基づく生体認証の結果の少なくとも一方を含む認証情報を取得する認証情報取得工程と、
前記認証情報をサーバに送信する認証情報送信工程と、
を実行する処理方法。
【０１１２】
この出願は、２０１８年９月２８日に出願された日本出願特願２０１８−１８５１７５号を基礎とする優先権を主張し、その開示の全てをここに取り込む。
【図１】
2020066691.tif 000003
【図２】
2020066691.tif 000004
【図３】
2020066691.tif 000005
【図４】
2020066691.tif 000006
【図５】
2020066691.tif 000007
【図６】
2020066691.tif 000008
【図７】
2020066691.tif 000009
【図８】
2020066691.tif 000010
【図９】
2020066691.tif 000011
【図１０】
2020066691.tif 000012
【図１１】
2020066691.tif 000013
【図１２】
2020066691.tif 000014
【図１３】
2020066691.tif 000015
【図１４】
2020066691.tif 000016
【図１５】
2020066691.tif 000017
【図１６】
2020066691.tif 000018
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
顧客との待ち合わせ場所に向かうサービス提供者から繰り返し取得された生体情報に基づくサービス提供者の生体認証の結果を取得する認証結果取得手段と、
前記サービス提供者の生体認証の結果を前記顧客の端末に送信する結果送信手段と、
を有するサーバ。
【請求項２】
請求項１に記載のサーバにおいて、
前記結果送信手段は、
前記サービス提供者の生体認証の結果が認証失敗である場合、前記顧客の端末に前記サービス提供者の生体認証の結果を送信し、
前記サービス提供者の生体認証の結果が認証成功である場合、前記顧客の端末に前記サービス提供者の生体認証の結果を送信しないサーバ。
【請求項３】
請求項１又は２に記載のサーバにおいて、
前記結果送信手段は、
前記サービス提供者が前記待ち合わせ場所から第１の基準距離以内に位置する場合、前記サービス提供者の生体認証の結果が認証成功及び認証失敗いずれの場合も前記顧客の端末に前記サービス提供者の生体認証の結果を送信し、
前記サービス提供者が前記待ち合わせ場所から前記第１の基準距離以内に位置しない場合、前記サービス提供者の生体認証の結果が認証失敗である場合に前記顧客の端末に前記サービス提供者の生体認証の結果を送信し、前記サービス提供者の生体認証の結果が認証成功である場合に前記顧客の端末に前記サービス提供者の生体認証の結果を送信しないサーバ。
【請求項４】
請求項１から３のいずれか１項に記載のサーバにおいて、
前記認証結果取得手段は、サービス提供者が前記待ち合わせ場所から第２の基準距離以内に位置する場合、前記サービス提供者が前記待ち合わせ場所から第２の基準距離以内に位置しない場合よりも、前記サービス提供者の生体認証の実施頻度が高くなるように制御するサーバ。
【請求項５】
請求項１から４のいずれか１項に記載のサーバにおいて、
前記認証結果取得手段は、前記顧客から繰り返し取得された生体情報に基づく顧客の生体認証の結果を取得し、
前記結果送信手段は、前記顧客の生体認証の結果を前記サービス提供者の端末に送信するサーバ。
【請求項６】
請求項５に記載のサーバにおいて、
前記認証結果取得手段は、
予め登録された前記待ち合わせ場所が前記顧客の自宅である場合、前記サービス提供者の生体認証を実施させ、前記顧客の生体認証を実施させず、
予め登録された前記待ち合わせ場所が前記顧客の自宅でない場合、前記サービス提供者の生体認証、及び、前記顧客の生体認証を実施させるサーバ。
【請求項７】
コンピュータが、
顧客との待ち合わせ場所に向かうサービス提供者から繰り返し取得された生体情報に基づくサービス提供者の生体認証の結果を取得する認証結果取得工程と、
前記サービス提供者の生体認証の結果を前記顧客の端末に送信する結果送信工程と、
を実行する処理方法。
【請求項８】
コンピュータを、
顧客との待ち合わせ場所に向かうサービス提供者から繰り返し取得された生体情報に基づくサービス提供者の生体認証の結果を取得する認証結果取得手段、
前記サービス提供者の生体認証の結果を前記顧客の端末に送信する結果送信手段、
として機能させるプログラム。
【請求項９】
コンピュータを、
待ち合わせ場所に向かうサービス提供者又は前記顧客から繰り返し取得された生体情報及び前記生体情報に基づく生体認証の結果の少なくとも一方を含む認証情報を取得する認証情報取得手段、
前記認証情報をサーバに送信する認証情報送信手段、
として機能させるプログラム。
【請求項１０】
待ち合わせ場所に向かうサービス提供者又は前記顧客から繰り返し取得された生体情報及び前記生体情報に基づく生体認証の結果の少なくとも一方を含む認証情報を取得する認証情報取得手段と、
前記認証情報をサーバに送信する認証情報送信手段と、
を有する処理装置。
【国際調査報告】
2020066691.tif 000019
2020066691.tif 000020
2020066691.tif 000021
2020066691.tif 000022